(57)【特許請求の範囲】
【請求項１】
冷蔵庫であって、少なくとも一つの貯蔵室と、前記貯蔵室を開閉するための、第１の扉と第２の扉とで構成される観音開き式の扉と、前記第１の扉と前記第２の扉の一方に設けられている、前記観音開き式の扉が閉じられている際の気密を保持するための仕切板と、前記貯蔵室の開口下端部分に設けられている、前記第１の扉と前記第２扉の扉を支持するための扉支持部と、前記冷蔵庫の上部に設けられている、前記第１の扉と前記第２扉の浮き上がりを規制する扉浮き規制部と、前記冷蔵庫の上部に設けられている、前記観音開き式の扉が閉じられる際に前記仕切板を回転駆動させるためのガイド部材とを備え、前記扉浮き規制部と前記ガイド部材は、前記冷蔵庫の天井を挟んで取り付けられていることを特徴とする冷蔵庫。
【請求項２】
前記扉支持部と前記観音開き式の扉との接触部分は、点接触としたことを特徴とする請求項１に記載の冷蔵庫。
【請求項３】
前記扉浮き規制部と前記観音開き式の扉との接触部分は、点接触としたことを特徴とする請求項１又は２に記載の冷蔵庫。
【請求項４】
前記第１の扉と前記第２の扉のそれぞれの上部に突起部が設けられていて、当該突起部が、前記観音開き式の扉が閉じられている際に前記扉浮き規制部と前記冷蔵庫の天井との間の空間に嵌り込むことを特徴とする請求項１から３のいずれか１項に記載の冷蔵庫。
【請求項５】
前記貯蔵室は冷蔵室であることを特徴とする請求項１から４のいずれか１項に記載の冷蔵庫。
【発明の詳細な説明】
【技術分野】
【０００１】
本発明は冷蔵庫に関し、特に、観音開き式扉の位置ずれ防止構成に関するものである。
【背景技術】
【０００２】
近年、家庭用冷蔵庫は大型化が進んでおり、しかも両開き扉タイプの大型冷蔵庫の需要が拡大している。そして上記両開き扉タイプの大型冷蔵庫の需要拡大とともに前記両開き扉の左右の扉段差が目立つようになってきている。そのため、このような左右の扉の段差を矯正する構成が提案されている（例えば、特許文献１参照）。
【０００３】
図２４は上記特許文献１に記載された冷蔵庫を示し、この冷蔵庫は左右の扉１０１，１０２の相対向する突合せ端面の一方に突出ピン１０３、他方にガイド受け部１０４を設け、前記扉１０１，１０２を閉じたときに前記突出ピン１０３がガイド受け部１０４に嵌り込んで左右扉１０１，１０２の高さ位置を合致させ左右の扉１０１，１０２の段差を矯正するようになっている。
【先行技術文献】
【特許文献】
【０００４】
【特許文献１】特開２０１０−１０７０６７号公報
【発明の概要】
【発明が解決しようとする課題】
【０００５】
上記従来の構成によれば、突出ピン１０３とガイド受け部１０４との嵌り合いにより扉段差を矯正できるとはいうものの、この突出ピン１０３とガイド受け部１０４とは扉端面を覆う扉キャップ１０１，１０２に一体成型するため扉キャップ１０５，１０６の成型金型が複雑化しコストアップ要因となる。しかも、上記突出ピン１０３およびガイド受け部１０４は共に扉キャップ１０５，１０６端面の前後幅内（扉１０１，１０２端面の厚み寸法内）に形成しなければならないため小さなものとなり、しかもこれが樹脂製あることも加わって、十分な強度が確保できず長期間使用するには強度面で問題が残ることになる。
【０００６】
特に最近需要が拡大し始めているガラス扉タイプの高品位冷蔵庫の場合、扉の荷重はガラス板の荷重も加わってかなり増加し大重量化している。しかも扉は冷蔵庫本体に片持ち支持されているため、その突合せ端部側には扉支持部を中心とした下向き荷重、換言すると扉の大きな下向き回転モーメント荷重が加わっている。そのため、このようなガラス扉の大重量及び回転モーメント荷重に耐えてその段差を矯正するためには前記突出ピン１０３およびガイド受け部１０４の強度は十分なものとする必要がある。
【０００７】
したがってガラス扉のように扉自体が大重量化している冷蔵庫で実際に商品化する際には、当該特許文献１の段落００２３に記載されているように、左右扉１０１，１０２の突き合わせ下端部分と対応する部分の冷蔵庫本体１０７前面に扉支持部を突設し、この扉支持部で左右扉１０１，１０２の下端面を受けるようにして扉段差を矯正することになる。
【０００８】
これによれば、扉段差を矯正する扉支持部は扉端面幅内の寸法に限定されることなく大きくて強度も十分なものとすることができ、長期間使用していても問題なく使用できるものとなる。
【０００９】
しかしながらこの場合、扉１０１，１０２を支持している冷蔵庫本体１０７の外箱が前記大重量化した扉の片持ち支持による回転モーメント荷重や床面に設置した際の冷蔵庫本
体脚の一部設置不足等によって生じる偏荷重により傾斜変形すると、左右の扉１０１，１０２の突合せ端部に段差が生じてしまう。すなわち、冷蔵庫本体１０７の外箱が正面から見て菱形に傾斜変形すると、扉１０１，１０２の下面を受ける扉支持部も傾いて当該扉支持部により受け止めている一方の扉１０１が他方の扉１０２に対して浮き上がった状態となり、左右扉１０１，１０２の突合せ端部に段差が生じてしまうのである。換言すると、冷蔵庫本体１０７の外箱変形に起因して左右の扉に段差が生じるという課題が残ってしまうのであった。
【００１０】
本発明はこのような点に鑑みてなしたもので、ガラス扉等のように扉が大重量化していてなおかつ冷蔵庫本体に外箱変形が生じるような場合であっても左右扉の段差発生を防止して品位の高い冷蔵庫を提供できるようにすることを目的としたものである。
【課題を解決するための手段】
【００１１】
本発明は上記目的を達成するため、冷蔵庫であって、少なくとも一つの貯蔵室と、前記貯蔵室を開閉するための、第１の扉と第２の扉とで構成される観音開き式の扉と、前記第１の扉と前記第２の扉の一方に設けられている、前記観音開き式の扉が閉じられている際の気密を保持するための仕切板と、前記貯蔵室の開口下端部分に設けられている、前記第１の扉と前記第２扉の扉を支持するための扉支持部と、前記冷蔵庫の上部に設けられている、前記第１の扉と前記第２扉の浮き上がりを規制する扉浮き規制部と、前記冷蔵庫の上部に設けられている、前記観音開き式の扉が閉じられる際に前記仕切板を回転駆動させるためのガイド部材とを備え、前記扉浮き規制部と前記ガイド部材は、前記冷蔵庫の天井を挟んで取り付けられていることを特徴とする。
【発明の効果】
【００１３】
本発明は、上記した構成により、ガラス扉等のように大重量化した扉を装備した状態で使用したり冷蔵庫本体の外箱に傾斜変形が生じたりしたとしても長期間に亘って観音開き式扉に段差が生じるのを確実に防止することができる高品位な冷蔵庫を提供できる。
【図面の簡単な説明】
【００１４】
【図１】本発明の実施の形態１における冷蔵庫の外観斜視図
【図２】同冷蔵庫の概略縦断面図
【図３】同冷蔵庫の観音開き式扉を開いた状態を示す斜視図
【図４】同冷蔵庫の扉段差防止のための扉支持構成を示す拡大断面図
【図５】（ａ）同冷蔵庫の扉支持部を示す上視斜視図、（ｂ）同下視斜視図
【図６】（ａ）（ｂ）同冷蔵庫の扉下端面に装着する左右の平板を示す上視斜視図
【図７】同冷蔵庫の扉段差是正用のための扉浮規制構成を示す拡大断面図
【図８】同冷蔵庫の位置規制用突起部を装着した扉を示す斜視図
【図９】（ａ）同冷蔵庫の扉浮き規制部を示す上視斜視図、（ｂ）同下視斜視図
【図１０】同冷蔵庫の扉浮規制装着時の補強部材を示す下視斜視図
【図１１】（ａ）（ｂ）同冷蔵庫の扉に装着する左右の位置規制用突起部を示す上視斜視図
【図１２】同冷蔵庫の扉浮規制装着時の補強部材の他の例を示す下視斜視図
【図１３】同冷蔵庫の外箱補強構成を示す斜視図
【図１４】同冷蔵庫の正面側コーナ部分の斜視図
【図１５】同冷蔵庫の正面側コーナ部分の裏面図
【図１６】同冷蔵庫の正面側コーナ部分を運搬用把手部分で切断したときの斜視図
【図１７】同冷蔵庫の正面側コーナ部分を冷蔵庫本体脚部分で切断したときの斜視図
【図１８】（ａ）（ｂ）（ｃ）同冷蔵庫の正面側コーナ部分における側板、枠補強部材、前板部材の連結構成を示す一部欠裁拡大斜視図
【図１９】同冷蔵庫の外箱を構成する外箱、枠補強部材、前板部材の分解斜視図
【図２０】同冷蔵庫の外箱を構成する外箱、枠補強部材、前板部材の連結部分を示す分解斜視図
【図２１】（ａ）同冷蔵庫の前板部材を内部側から見た斜視図、（ｂ）同前板部材を正面側から見た斜視図
【図２２】（ａ）同冷蔵庫の枠補強部材を内部後方側から見た斜視図、（ｂ）同枠補強部材を正面側から見た斜視図
【図２３】同冷蔵庫の外箱背面下方部分を後方から見た斜視図
【図２４】従来の冷蔵庫における扉段差是正構成を示す斜視図
【発明を実施するための形態】
【００１５】
第１の発明は、貯蔵室を有する冷蔵庫本体と、前記冷蔵庫本体の貯蔵室を開閉する観音開き式の扉と、前記観音開き式扉となる第１、第２扉の下部の突合せ端面側部分もしくはこれと対向する冷蔵庫本体側部分に前記第１、第２扉を支持して位置合わせする扉支持部を設けるとともに、前記第１、第２扉の上部の突合せ端面側部分もしくはこれと対向する冷蔵庫本体側部分に前記第１、第２扉の浮き上がりを規制する扉浮き規制部を設けた構成としてある。
【００１６】
これにより、冷蔵庫扉の大型化やガラス扉化等により扉が大重量化していても、観音開き式第１、第２扉の下部突合せ端面側部分もしくはこれと対向する冷蔵庫本体側部分に設けた扉支持部が扉下端面を支持して位置合わせし扉段差を確実に矯正することができる。しかも大重量化した扉の回転モーメント荷重等によって冷蔵庫本体の外箱が傾斜変形して一方の扉が他方の扉に対して浮き上がろうとしても、前記第１、第２扉の上部の突合せ端面側部分もしくはこれと対向する冷蔵庫本体側部分に設けた扉浮き規制部がこれを規制するので、外箱変形に起因する扉段差も抑制することができる。そして上記扉支持部及び扉浮き規制部は扉端面の幅内に限定されることなく設けることができるのでその強度も十分なものとすることができ、長期間使用していても扉重量に屈することなく扉段差を解消することができる。
【００１７】
第２の発明は、第１の発明において、前記扉支持部と扉との接触部分及び扉浮き規制部と扉との接触部分は点接触とした構成としてある。
【００１８】
これにより、扉開閉時における扉支持部及び扉浮き規制部と扉との接触抵抗を軽減でき、扉の開閉を扉支持部及び扉浮き規制部がない場合と同様軽く行うことができる。
【００１９】
第３の発明は、第１または第２の発明において、前記第１、第２扉のいずれか一方の突合せ端面部に設けた気密保持用の仕切体と、前記仕切体を前記扉の閉成によって回転駆動させるガイド部材とを更に備え、前記ガイド部材と扉浮き規制部とは冷蔵庫本体の天井を挟んで取り付けた構成としてある。
【００２０】
これにより、従来から冷蔵庫本体の上部に備わっているガイド部材の取り付けと同時に扉浮き規制部の取り付けもでき、取付け用ビス等の共用化と作業工数の削減によるコストダウンが可能となる。
【００２１】
第４の発明は、第１〜第３の発明において、前記冷蔵庫本体は天板と側板を有する外箱を備え、上記外箱はその正面側下コーナ部の位置において、前記両側板のそれぞれの下辺に沿って設けた外箱補強用の枠補強部材と前記両側板の正面側の下端に位置する前板部材と前記両側板とを連結固定するとともに、前記枠補強部材には前記両側板同士の間に向かって延びる支持板枠部を設け、この支持板枠部を前記両側板に連結した前板部材の底板部分に当接させた構成としてある。
【００２２】
これにより、冷蔵庫本体の外箱はその両側板と前板部材と枠補強部材との連結によってその剛性が高められるとともに、ガラス扉等のように大重量化している扉であって、しかも両開き扉の大きい方の扉の回転モーメントを受けて前記外箱が左右方向に傾斜もしくは屈曲するような形となっても、前記扉の回転モーメント荷重を外箱両側板同士の間に延びている支持板枠部の先端部が前板部材底板部分に当接して支えるようになるので、当該大きな扉の回転モーメント荷重による外箱の傾斜変形も確実に防止することができ、この外箱剛性の向上と前記扉支持部及び扉浮き規制部による扉段差是正効果によって左右扉の段差をより確実に抑制することができる。
【００２３】
以下、本発明の実施の形態について、図面を参照しながら説明する。なお、この実施の形態によって本発明が限定されるものではない。
【００２４】
（実施の形態１）
図１は本発明の実施の形態１における冷蔵庫の外観斜視図、図２は同冷蔵庫の概略縦断面図、図３は同冷蔵庫の観音開き式扉を開いた状態を示す斜視図、図４〜図１２は同冷蔵庫の観音開き式扉の段差矯正構成を説明するための図、図１３〜図２２は同冷蔵庫の外箱剛性向上構成を説明するための図である。
【００２５】
図１〜図３において、この冷蔵庫の冷蔵庫本体１は、前方に開口する金属製の外箱２と、硬質樹脂製（例えばＡＢＳ）の内箱３と、これら外箱２と内箱３との間に発泡充填した硬質ウレタン等の発泡断熱材４からなる。上記冷蔵庫本体１はその内部に、冷蔵室５と、冷蔵室５の下に位置する切替室６及び切替室６に並設した製氷室７と、切替室６及び製氷室７の下部に位置する冷凍室８と、冷凍室８の下部に位置する野菜室９とを有する。また、前記冷蔵室５の前面は、観音開き式の扉１０ａ，１０ｂにより開閉自由に閉塞し、切替室６及び製氷室７と冷凍室８と野菜室９の前面部は引き出し式の扉１１，１２，１３，１４によって開閉自由に閉塞してある。
【００２６】
上記各扉１０ａ〜１４は冷蔵庫本体１と同様硬質のウレタンを発泡充填して断熱性を持たせてあり、更に意匠性を向上させるべくその前面はガラス板等の透明前板を装着して構成してある。また、冷蔵室５の前面の観音開き式の扉１０ａ，１０ｂはその一側端上下部分を冷蔵庫本体１の外箱２に装着したヒンジ部材１５によって軸支してあり、その一方の扉は他方の扉よりも大きく構成されている。
【００２７】
一方、冷蔵庫本体１の背面には冷却室１６があり、冷気を生成する冷却器１７と、冷気を各室に供給する送風ファン１８とが設けてある。また、上記冷蔵庫本体１の本体天面奥部には圧縮機１９が設けてあり、コンデンサ（図示せず）と、放熱用の放熱パイプ２０と、キャピラリーチューブ２１と、前記した冷却器１７とを順次環状に接続してなる冷凍サイクルに冷媒を封入し、冷却運転を行うように構成してある。
【００２８】
上記冷蔵庫本体１は、図３、図４に示すように、冷蔵室５の開口下端部分、すなわち、前記観音開き式扉１０ａ，１０ｂの突合せ端面下部と対向する部分に当該左右の扉１０ａ，１０ｂ下端面に当接してこれを受け止める扉支持部２２が設けてある。この扉支持部２２はジュラコン等のすべり性の良い樹脂を断面略Ｌ字状に成形して構成し、前記左右の扉
１０ａ，１０ｂの下端面に跨って位置する長さに形成してある。そして、Ｌ字状の一方の片となる垂直壁部２２ａを冷蔵庫本体１の冷蔵室下端部分前面にビス止め固定し、他方の片である扉支持壁部２２ｂを前方に突出させ、閉成状態にある扉１０ａ，１０ｂの双方の下端面に対向位置するように配置してある。そして更に、前記扉１０ａ，１０ｂの下端面には前記扉支持部２２と同様ジュラコン等のすべり性の良い樹脂で形成した平板２３が接着剤等によって固着してあり、この平板２３の前記扉支持壁部２２ｂと対向する部分には突起２４が隆起形成してある。
【００２９】
また、前記観音開き式扉１０ａ，１０ｂの双方の突合せ端面上部の内面には、図７、図８に示すように、扉浮き防止のための位置規制用突起部２５がビス２６止め固定してある。そしてこの位置規制用突起部２５と対応する冷蔵庫本体１の天板２ａには当該位置規制用突起部２５が嵌り込む凹部２７を備えた扉浮き規制部２８が補強部材２９を介してビス３０止め固定してある。上記扉浮き規制部２８は図９に示すようにその凹部２７の天井面に下向きに突出する突起３１が一体形成してある。なお、この位置規制用突起部２５および扉浮き規制部２８もジュラコン等のすべり性のよい樹脂で形成してある。
【００３０】
一方、この実施の形態における冷蔵庫では、前記扉の浮き上がり原因となる冷蔵庫本体の外箱変形を防止すべくその剛性を高めてある。すなわち、前記冷蔵庫本体１を構成する外箱２は、図１３〜図２３、特に外箱２を背面側から見た図１９に示すように、天板２ａ左右の両側板２ｂの下辺に沿ってそれぞれ枠補強部材３２を装着するとともに、当該両側板２ｂの正面側下端部を前板部材３３で連結してその剛性を向上させてある。以下、その構成を説明する。
【００３１】
まず外箱２は一枚の鋼板を略コ字状にプレス成形して構成してあり、天板２ａの両側に連なる左右の側板２ｂの背面側に背面板２ｅを装着して前面及び下面を開口した箱状に形成してある。そして、上記左右の両側板２ｂの前後端縁の長辺には、内側に向かって略直角に折曲したフランジ部２ｃを設け、このフランジ部２ｃの下端部には上下二つのネジ孔３４が設けてある。更に、両側板２ｂの下辺にもフランジ部２ｄとネジ孔３５（図２０参照）が設けてある。
【００３２】
次に前板部材３３は、図２１に示すように、前板部３３ａと底板部３３ｂとを備えていて、図２０に示すように前板部３３ａの両端部分に前記外箱２の両側板フランジ部２ｃのネジ孔３４に螺子３７−１（図１８参照）で固定する上下二つの螺子用孔３８と水平方向に位置する螺子用孔３９が形成してある。そして、底板部３３ｂの両端部分には冷蔵庫本体１の運搬用把手４０（図１４〜図１６参照）をねじ止めするネジ孔４１が形成してある。なお、前板部材３３は厚さ０．８ｍｍの鋼板で形成してあり、その前板部３３ａは強度を向上させるために底板部３３ｂの前端部分を二重に折り返して形成してある。
【００３３】
一方、枠補強部材３２は、例えば、厚さ１．２ｍｍの堅牢な鋼板で形成してあり、図２２に示すように、外箱２の両側板２ｂ下辺に沿って位置する断面略Ｌ字状の側板枠部３２ａの正面側端部に前記外箱２の両側板２ｂの正面側フランジ部２ｃ内面に沿って立ち上がる縦枠部３２ｂを設けるとともに、同側板枠部３２ａの背面側の後端部には外箱２の両側板２ｂの背面側フランジ部内面に沿って立ち上がる第二縦枠部３２ｃを設けて構成してある。
【００３４】
そして、この枠補強部材３２は、その側板枠部３２ａの正面側端部に、側板枠部３２ａの底面片３２ａａ内縁よりも中央寄り部分に向かって突出、換言すると前記外箱２の両側板２ｂ同士の間に向かって横方向に延びる支持板枠部３２ｄを更に設けて構成してある。
【００３５】
上記枠補強部材３２の支持板枠部３２ｄは、縦枠部３２ｂの側面から適宜寸法、例えば
この実施の形態では１００ｍｍ以上の長さに形成して前記前板部材３３の底板部３３ｂの上面に当接するように形成し、かつ、縦枠部３２ｂと同様断面略Ｌ字状に形成してその剛性を高めてある。そして、支持板枠部３２ｄの断面略Ｌ字状の底板側となる底面片３２ｄｄには前記運搬用把手４０をねじ止めする前板部材３３のネジ孔４１と対応するネジ孔４３が形成してある。
【００３６】
さらに、前記枠補強部材３２は、上記支持板枠部３２ｄおよび縦枠部３２ｂの断面略Ｌ字状の一方の片となる正面片３２ｄｄｄ、３２ｂｂを重ね結合してその部分に前記外箱２の両側板フランジ部２ｃのネジ孔３４および前板部材３３の前板部３３ａの螺子用孔３８に対応するネジ孔４２（図２０参照）が形成してある。また、同正面片３２ｄｄｄ、３２ｂｂの結合部分には前板部材３３の前板部３３ａに設けた螺子用孔３９に対応するネジ孔４２ａが形成してある。更に側板枠部３２ａの底面片３２ａａには外箱両側板２ｂ下辺のフランジ部２ｄにネジ止めするためのネジ孔４４が形成してある。
【００３７】
また、枠補強部材３２はその後端部に設けた第二縦枠部３２ｃに外箱２の両側板２ｂの後端長辺に設けたフランジ部２ｃ（図２３参照）にビス止めするネジ孔４５が形成してあり、このネジ孔４５を利用して図２３に示すように外箱２の両側板２ｂの後端部を樹脂製の背面補強板４６によって連結補強してある。
【００３８】
なお、図１３等において示している図番４７は外箱２の両側板２ｂ間の底面開口を覆う底板で、前板部材３３の後端縁及び外箱両側板の下面フランジ２ｄにビス止め固定してある。４８は上記底板上面に配管した冷媒管で、外箱２となる底板４７と内箱３との間に充填発泡した発砲断熱材中に埋設される形となる。４９（図１６等参照）は側板枠部３２ａの底面片３２ａａにビス止めした冷蔵庫本体脚、５０（図１７等参照）は本体移動用コロである。
【００３９】
次に、上記枠補強部材３２及び前板部材３３の外箱２への組み付け作業について説明しておく。
【００４０】
まず、外箱両側板２ｂのフランジ部２ｃ内面に前板部材３３の前板部３３ａが位置する様に外箱２の両側板２ｂ下辺と前板部材３３とを重ね合わせる。次に、上記外箱２の両側板２ｂの内面に枠補強部材３２をあてがってその側板枠部３２ａが外箱両側板２ｂの下辺に沿うように前記前板部材３３の両側部に重ね合わせる。
【００４１】
これにより枠補強部材３２の縦枠部３２ｂは外箱両側板２ｂのフランジ部２ｃ内面に沿うとともに、第二縦枠部３２ｃは外箱両側板２ｂの背面側のフランジ部内面に沿い、かつ、支持板枠部３２ｄが前板部材３３の底板部３３ｂに当接する。
【００４２】
この状態で、外箱両側板２ｂのフランジ部２ｃ下端のネジ孔３４と前板部材３３の前両側部の螺子用孔３８と枠補強部材３２の正面片３２ｄｄｄのネジ孔４２とを合致させて螺子３７−１（図１８参照）をねじ込み、前記外箱両側板２ｂのフランジ部２ｃと前板部材３３と枠補強部材３２の縦枠部３２ｂの正面片３２ｂｂとを連結固定する。
【００４３】
また、前板部材３３の前両側部に設けた他方の螺子用孔３９と枠補強部材３２の支持板枠部３２ｄの正面片３２ｄｄｄに設けたネジ孔４２ａに螺子３７−２（同図１８参照）をねじ込み、前記前板部材３３と枠補強部材３２の支持板枠部３２ｄとを連結固定する。
【００４４】
なお、枠補強部材３２の縦枠部３２ｂと前板部材３３の前板部材部３３ａの間には図示していないが、内箱３の下方角部のフランジ部分が挟持される。
【００４５】
さらに、枠補強部材３２に設けた支持板枠部３２ｄの底面片３２ｄｄのネジ孔４３を前板部材３３の底板部３３ｂに設けたネジ孔４１に合致させてこれらを底面側からねじ込んだ螺子３７−３（図１３参照）で締結固定する。
【００４６】
この時、上記前板部材３３の底板部３３ｂには運搬用把手４０をあてがって前記支持板枠部３２ｄとともに共締め固定する。
【００４７】
また、枠補強部材３２の側板枠部３２ａに設けたネジ孔４４と両側板２ｂ下面フランジ部２ｄに設けたネジ孔３５とを合致させてこれらを底面側からねじ込んだ螺子３７−４（図１３参照）で締結固定する。
【００４８】
そして、枠補強部材３２の後端部に設けた第二縦枠部３２ｃを外箱２の両側板２ｂの後端長辺に設けたフランジ部（図示せず）にビス止め固定する。この時、外箱２の両側板２ｂの後端部に樹脂製の背面補強板４６を連結固定する。
【００４９】
以上のように構成された冷蔵庫について、以下その動作、作用を説明すると、この冷蔵庫は、観音開き式扉を構成する扉１０ａ，１０ｂを閉じると、当該扉１０ａ，１０ｂはその下端面の平板２３が前記扉１０ａ，１０ｂの突合せ端面下部と対向する冷蔵庫本体１の前面に設けた扉支持部２２の上面と対向する。そして、前記扉１０ａ，１０ｂ下端の平板２３はその突起２４が扉支持部２２の扉支持壁部２２ｂの上面に乗り上げて支持される。したがって、前記扉１０ａ，１０ｂのいずれか一方の扉がその重量等によって他方の扉よりも下方にずれていても、この扉は扉支持部２２による支持によってその位置が矯正され、扉１０ａ，１０ｂの各下端面は同じ高さに位置合わせされる。すなわち、左右の扉１０ａ，１０ｂに扉段差が生じるような形となっていてもこの扉段差が矯正され、扉段差のない良好な外観とすることができる。
【００５０】
また、上記扉支持部２２による扉支持は、扉１０ａ，１０ｂ下端に設けた平板２３の突起２４によって点接触支持するようにしてあるから、これら両者の接触抵抗はきわめて少ないものとなる。したがって、扉１０ａ，１０ｂの開閉は扉支持部２２を備えていない場合と同様軽く行うことができる。特にこの実施の形態では前記扉支持部２２および平板２３はすべり性の良いジュラコン樹脂で形成してあるからその接触抵抗は一段と軽減でき、より軽い力で扉１０ａ，１０ｂの開閉が可能となって、従前どおりの使い勝手を維持することができる。
【００５１】
さらに、前記扉支持部２２は冷蔵庫本体１の前面に設けて扉１０ａ，１０ｂの下端面と対向するように設けているから、扉１０ａ，１０ｂの端面に設ける場合のような扉端面幅内という制約を受けることがない。したがって、扉支持部２２は十分な強度を持ったものとすることができ、冷蔵庫の大型化に伴って扉が大型化したり、ガラス扉化したりして大重量化していても、長期間に亘って問題なく使用することができる。
【００５２】
一方、前記のようにして扉１０ａ，１０ｂを閉じたとき、この冷蔵庫は更に前記扉１０ａ，１０ｂの突合せ端面上部に設けた位置規制用突起部２５がこれと対応する冷蔵庫本体１の上部に設けた扉浮き規制部２８の凹部２７に嵌り込む。
【００５３】
通常、位置規制用突起部２５は、左右の扉１０ａ，１０ｂに扉段差が生じていないときには、前記扉浮き規制部２８の凹部２７に嵌り込んでも凹部２７の天井面に接することなく隙間を有したフリーな状態で位置している。
【００５４】
しかしながら、例えば冷蔵庫本体１の扉１０ａ，１０ｂを片持ち支持している外箱２が変形等を起こして、扉支持部２２も傾斜し、これに支持されている左右の扉１０ａ，１０
ｂに段差が生じるような事態になると、上方に浮き上がる形となる方の扉の前記位置規制用突起部２５上面が扉浮き規制部２８に設けた凹部２７の天井面に当接し、それ以上の浮き上がりを防止される。これにより、冷蔵庫本体１の外箱２に菱形変形等が生じても、左右の扉１０ａ，１０ｂに段差が生じるようなことが抑制される。すなわち、外箱変形に伴う扉１０ａ，１０ｂの段差発生も抑制することができる。
【００５５】
また、上記扉浮き規制部２８はこれにも突起３１を設けて当該突起３１が扉１０ａ，１０ｂの位置規制用突起部２５と点接触するようにしてあるから、外箱２が変形していて扉１０ａ，１０ｂの開閉のたびに前記位置規制用突起部２５が扉浮き規制部２８の突起３１と接するようなことがあっても、前記扉支持部２２の場合と同様その接触抵抗は少なく、扉１０ａ，１０ｂの開閉は軽いものに維持できる。そしてこの場合も前記位置規制用突起部２５及び扉浮き規制部２８はジュラコン等のすべり性の良い樹脂で形成してあるから、扉１０ａ，１０ｂの開閉はより軽い力で行うことが可能となって、従前どおりの使い勝手を維持することができる。
【００５６】
また、上記扉浮き規制部２８には扉１０ａ，１０ｂの浮き上がりを防止、すなわち扉段差矯正時には上向きに大きな力が加わるが、この実施の形態では補強部材２９を介して扉浮き規制部２８をビス２６止め固定してあるから、前記上向きの力はビス２６部分に集中することなく補強部材２９の面で分散受け止めされるようになり、長期間使用していても問題なく使用することができる。
【００５７】
なお、上記補強部材２９は、例えば図１２に示すように、扉閉成時の気密を保持するべく扉１０ａ，１０ｂの一方に設けられる仕切板（図示せず）を扉閉成によって回転駆動させるガイド部材２９ａを一体形成し、この補強部材２９と前記扉浮き規制部２８とを冷蔵庫本体１の天井を挟んで取り付ける構成とすることも考えられる。
【００５８】
このような構成とすることにより、従来から冷蔵庫本体１の上部に備わっているガイド部材の取り付けと同時に扉浮き規制部２８の取り付けもでき、取付け用ビス等の共用化と作業工数の削減によるコストダウンを図ることができる。
【００５９】
一方、この実施の形態では、上記に加えて、前記冷蔵庫本体１の外箱２はその剛性を向上させて有、ガラス扉等のように大重量化している扉であって、しかも両開き扉の大きい方の扉の重量を受けても、外箱の菱形変形等を確実に防止することができ、この外箱剛性の向上と前記扉支持部２２及び扉浮き規制部２８による扉段差是正効果によって左右扉１０ａ，１０ｂの段差をより確実に抑制することができる。
【００６０】
すなわち、まず上記のように構成した冷蔵庫の外箱２は、前記外箱２の両側板２ｂと枠補強部材３２と前板部材３３とを連結したことにより従来と同レベルまでその剛性が高まっている。
【００６１】
そして、この外箱２は、前記両側板２ｂを補強する枠補強部材３２に当該両側板２ｂの間に延びる支持板枠部３２ｄを設けているので、この支持板枠部３２ｄの先端部が前記両側板２ｂと前板部材３３との連結固定部を中心に図１３の矢印Ａで示す左右方向に傾斜もしくは屈曲させようとする扉１０ａ，１０ｂの回転モーメント荷重を支え、これに抗することができる程度までその剛性が向上する。したがって、扉がガラス扉化していて、なおかつその大型化して、大重量化している扉であっても、当該大重量化している扉回転モーメント荷重による両側板２ｂ傾斜変形も確実に防止することができ、左右扉の段差を効果的に抑制できる。
【００６２】
特に、外箱２の正面側は背面側とは異なり開口状態となっていてその剛性が背面側に比
べ弱いが、この実施の形態のように枠補強部材３２に外箱両側板２ｂの間に向かって延びる支持板枠部３２ｄを設けることによってその正面側の剛性を背面側と同等かそれ以上にまで高めることができ、扉が大重量化する冷蔵庫に特に効果的である。
【００６３】
また、この実施の形態では、前記枠補強部材３２は、側板２ｂの下辺に沿って位置する側板枠部３２ａと、側板２ｂの正面側の端縁に沿って立ち上がる縦枠部３２ｂと、外箱２の両側板２ｂ同士の間に向かって延びる支持板枠部３２ｄとの三軸枠部構成とし、前記側板枠部３２ａを側板２ｂの下端部に、縦枠部３２ｂを側板２ｂの正面側端部に、支持板枠部３２ｄを前板部材３３の底板部３３ｂにそれぞれ螺子固定してあるから、外箱２の正面側コーナ部はこれに三軸によって補強される形となる。したがって、開口状態となっていて、なおかつ、扉荷重が加わって変形しやすい外箱２の正面側の剛性はより高まり、外箱２の変形をより確実に防止できて長期間使用していても扉段差を効果的に抑制することができる。
【００６４】
また、上記枠補強部材３２の支持板枠部３２ｄは、冷蔵を運搬するときに用いる運搬用把手４０とともにこれに重合させて前板部材３３の底板部３３ｂにビス止めしてあるから、枠補強部材３２の支持板枠部３２ｄを重合固定した部分の前板部材強度を運搬用把手４０によって高めて支持板枠部３２ｄによる補強効果を向上させることができる。したがって、支持板枠部３２ｄを支える前板部材３３の強度を略Ｌ字状にしたことによる強度向上に加えて更に前記運搬用把手４０によっても向上させることができ、前板部材３３自体の変形をも防止して外箱２の確実な変形防止を可能とすることができる。しかも、上記枠補強部材３２の支持板枠部３２ｄは逆に運搬用把手４０に加わる荷重受け部としても作用するので、前板部材３３を薄板化して材料費を削減することができる。すなわち、コストダウンを図りつつ当該前板部材３３自体の変形をも防止して外箱２の確実な変形防止を実現することができる。
【００６５】
更に、外箱２の背面側は枠補強部材３２の後端部の第二縦枠部３２ｃを両側板の後面側端部に固定してあるから、背面側の剛性も従来と同レベルまで高めることができ、外箱２の変形防止をより確実なものとすることができる。
【００６６】
なお、外箱２の背面側にも大きな荷重が加わるような構成となる場合には、前記枠補強部材３２の後端部側も正面側と同じ三軸構成とし、背面側の剛性を高めればよく、これにより更に強力に外箱変形を防止でき扉段差発生を確実に予防することができる。
【００６７】
また、枠補強部材３２の支持板枠部３２ｄは、側板枠部３２ａ、縦枠部３２ｂ、第二縦枠部３２ｃとともに一枚の鋼板で一体形成したものを例示したが、この支持板枠部３２ｄは別鋼板で形成して側板枠部３２ａの底面片３２ｄｄにビス止め或いは溶接固定等によって一体化してもよく、これにより枠補強部材３２の材料取を無駄なく行えるようになって効果的である。
【００６８】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。
【００６９】
例えば、扉支持部２２は上記実施の形態で例示した構成のものに限定されるものではなく、扉１０ａ，１０ｂ側に設けてこれと対向する冷蔵庫本体１側に扉支持部２２の突出部分が嵌り込む凹所を形成してもよく、また、扉浮き規制部２８と位置規制用突起部２５も冷蔵庫本体１側に位置規制用突起部２５を、扉１０ａ，１０ｂ側に扉浮き規制部２８を設ける形としてもよく、更に上記扉支持部２２、扉浮き規制部２８、位置規制用突起部２５等は冷蔵庫本体１、扉１０ａ，１０ｂに一体形成した形で設けるようにしてもよいもので
ある。
【００７０】
つまり、本発明の範囲は上記実施の形態で例示した構成ではなくて特許請求の範囲によって示され、特許請求の範囲と均等の意味及び範囲内でのすべての変更が含まれることが意図される。
【産業上の利用可能性】
【００７１】
以上のように本発明は、扉がガラス扉化等して大重量化していたり、冷蔵庫本体の外箱に傾斜変形が生じたりしたとしても長期間に亘って左右扉に段差が生じるのを確実に防止できる高品位な冷蔵庫を提供することができる。よって、一般用はもちろん業務用の冷蔵庫やワインクーラーにも幅広く適用できる。
【符号の説明】
【００７２】
１  冷蔵庫本体
２  外箱
５  冷蔵室
１０ａ，１０ｂ，１１，１２，１３，１４  扉
２２  扉支持部
２２ａ  垂直壁部
２２ｂ  扉支持壁部
２３  平板
２４  突起
２５  位置規制用突起部
２７  凹部
２８  扉浮き規制部
２９  補強部材
３１  突起
３２  枠補強部材
３２ａ  側板枠部
３２ｂ  縦枠部
３２ｃ  第二縦枠部
３２ｄ  支持板枠部
３３  前板部材
４０  運搬用把手
【図１】
0006471348.tif 000002
【図２】
0006471348.tif 000003
【図３】
0006471348.tif 000004
【図４】
0006471348.tif 000005
【図５】
0006471348.tif 000006
【図６】
0006471348.tif 000007
【図７】
0006471348.tif 000008
【図８】
0006471348.tif 000009
【図９】
0006471348.tif 000010
【図１０】
0006471348.tif 000011
【図１１】
0006471348.tif 000012
【図１２】
0006471348.tif 000013
【図１３】
0006471348.tif 000014
【図１４】
0006471348.tif 000015
【図１５】
0006471348.tif 000016
【図１６】
0006471348.tif 000017
【図１７】
0006471348.tif 000018
【図１８】
0006471348.tif 000019
【図１９】
0006471348.tif 000020
【図２０】
0006471348.tif 000021
【図２１】
0006471348.tif 000022
【図２２】
0006471348.tif 000023
【図２３】
0006471348.tif 000024
【図２４】
0006471348.tif 000025